(57)【要約】【課題】腹腔鏡下手術における縫合針の持ち替え時に、モニターの画面上においても容易に針の向きを把握することができ、縫合手術に熟練していない者でも容易に縫合手術を行うことができる縫合針を提供する。【解決手段】半円弧状に形成された針胴部１と、該針胴部１の一端に設けた針先部２と、前記針胴部１の他端に設けた縫合糸９を取り付ける糸付部３とからなる手術用縫合針１０であって、前記針胴部１の少なくとも持針器による把持部４を半円弧状の内外面に平坦な把持面７を有する扁平部５を形成し、該扁平部５の厚さを扁平加工前の針線材直径に対して４０％〜７０％に形成すると共に、針表面の反射率を低くした。【選択図】　　　　　図１
2004097714.tif 000002
【特許請求の範囲】
【請求項１】
半円弧状に形成された針胴部と、該針胴部の一端に設けた針先部と、前記針胴部の他端に設けた縫合糸を取り付ける糸付部とからなる手術用縫合針であって、前記針胴部の少なくとも持針器による把持部を半円弧状の内外面に平坦な把持面を有する扁平部を形成し、該扁平部の厚さを扁平加工前の針線材直径に対して４０％〜７０％に形成すると共に、針表面の反射率を低くした手術用縫合針。
【請求項２】
半円弧状に形成された針胴部と、該針胴部の一端に設けた針先部と、前記針胴部の他端に設けた縫合糸を取り付ける糸付部とからなる手術用縫合針であって、前記針胴部の少なくとも持針器による把持部を半円弧状の内外面に平坦な把持面を有する扁平部を形成すると共に、前記把持面と側面を異なる反射率になした手術用縫合針。
【請求項３】
前記針胴部の扁平部の厚さを扁平加工前の針線材直径に対して４０％〜７０％に形成した請求項２に記載の手術用縫合針。
【請求項４】
前記針胴部の針先部側を断面円形状に形成し、前記針胴部の糸付部側を扁平状に形成すると共に、断面形状が円形状から扁平状に滑らかに変化する変化部を備えた請求項１乃至３のいずれかに記載の手術用縫合針。
【請求項５】
前記把持面又は前記側面の一部を他の部分と異なる反射率になした請求項２乃至４のいずれかに記載の手術用縫合針。
【請求項６】
前記側面を前記把持面に対して高反射率になした請求項２乃至５のいずれかに記載の手術用縫合針。
【発明の詳細な説明】
【０００１】
【発明の属する技術分野】
本発明は、腹腔鏡下での縫合手術において使用される縫合針に関する。
【０００２】
【従来の技術】
従来、腹腔鏡下での縫合手術において使用される縫合針は、半円弧状に形成された針胴部と、該針胴部の一端に設けた針先部と、前記針胴部の他端に設けた縫合糸を取り付ける糸付部とからなり、前記針胴部の断面形状は円形状や扁平率１５％以下の楕円形状のものが使用されている。
【０００３】
また、持針器によって縫合針を安定した姿勢で把持することができるように、針胴部の針先部を除く全長に亘って、断面形状を断面略正方形状に形成した縫合針（例えば、特許文献１参照）や、前記針胴部の両側を押圧して長手方向に沿った一対の平坦面を形成することによって、該針胴部が断面略楕円形状に形成された縫合針（例えば、特許文献２参照）は知られている。
また、縫合針の全体、或いは針先部側を除く針胴部の糸付部側を暗色の非反射性に形成した縫合針（例えば、特許文献３，４参照）は知られている。
【０００４】
【特許文献１】
特開平１１−２７６４９２号公報
【特許文献２】
特許第３０９５０６２号公報
【特許文献３】
特開昭６１−４５７４５号公報
【特許文献４】
米国特許第５６８３４１５号明細書
【０００５】
【発明が解決しようとする課題】
しかし、腹腔鏡下での縫合手術においては、内視鏡によりモニターに映し出された画像を見ながら縫合を行うことから、腹腔内での針の把持に際しては開腹手術時のように針の把持を細かく両手で調整することは難しいため、持針器による縫合針の把持には多くの経験と練習が必要であった。
特に、縫合針を腹腔内に挿入した後に、縫合針の向きを変えて直角に持ち替えるときには、モニターに映し出された画像では奥行きが把握できないために、従来の断面円形状の縫合針では、針の向きがわかり難く持ち替えに時間を要するという課題があった。
【０００６】
また、特許文献１又は特許文献２のように、断面形状を楕円形状や正方形状にした縫合針でも、持針器により把持した後の安定性は向上するが、従来の縫合針は扁平率が小さく、針胴部の長手方向を中心に回転させても針胴部の幅の変化がないため、針の向きがわかり難く持ち替えに時間を要するという課題があった。また、特許文献４のように、針先部と針胴部を異なる反射率に形成した縫合針では、手術時の照明による反射を少なくして反射光による針そのものの見難さを改善しているが、非反射性の針胴部と手術部位の組織の色が類似している場合は針の向きがわかり難く、同様に持針器による持ち替えに時間を要するという課題があった。
そこで、本発明は、腹腔鏡下手術において、縫合手術に熟練していない者でも容易に縫合手術を行うことができる縫合針を提供するものである。
【０００７】
【課題を解決するための手段】
本発明は、上記課題を解決するために、半円弧状に形成された針胴部と、該針胴部の一端に設けた針先部と、前記針胴部の他端に設けた縫合糸を取り付ける糸付部とからなる手術用縫合針であって、前記針胴部の少なくとも持針器による把持部を半円弧状の内外面に平坦な把持面を有する扁平部を形成し、該扁平部の厚さを扁平加工前の針線材直径に対して４０％〜７０％に形成すると共に、針表面の反射率を低くした手術用縫合針を提供するものである。
本発明によれば、前記扁平部の厚さを針線材直径に対して４０％以上に形成したことにより、半円弧状の湾曲方向の強度を保つことができる。一方、針表面の反射率を低くしたことによりモニター画面の視認性を向上することができると共に、針線材直径に対して７０％以下に形成したことにより、針胴部の長手方向を中心に回転させたときに針胴部の幅が変化するから、モニターの画面上においても容易に針の向きを把握することができ、縫合針の持ち替えに要する時間を短縮することができる。
【０００８】
また、本発明は、半円弧状に形成された針胴部と、該針胴部の一端に設けた針先部と、前記針胴部の他端に設けた縫合糸を取り付ける糸付部とからなる手術用縫合針であって、前記針胴部の少なくとも持針器による把持部を半円弧状の内外面に平坦な把持面を有する扁平部を形成すると共に、前記把持面と側面を異なる反射率になした手術用縫合針を提供するものである。
本発明によれば、前記把持部を半円弧状の内外面に平坦な把持面を有する扁平状に形成したことにより、持針器による縫合針の把持性が向上すると共に、把持面と側面を異なる反射率になしたから、モニターを介しても把持面と側面の輝度の違いによって縫合針の向きを容易に把握することができ、縫合針の持ち替えに要する時間を短縮することができる。
【０００９】
また、本発明は、前記針胴部の扁平部の厚さを扁平加工前の針線材直径に対して４０％〜７０％に形成した請求項２に記載の手術用縫合針を提供するものである。
本発明によれば、前記扁平部の厚さを針線材直径に対して４０％以上に形成したことにより、半円弧状の湾曲方向の強度を保つことができる。一方、針線材直径に対して７０％以下に形成したことにより、針胴部の長手方向を中心に回転させたときに針胴部の幅が変化するから、容易に針の向きを把握することができ、縫合針の持ち替えに要する時間を短縮することができる。
【００１０】
また、本発明は、前記針胴部の針先部側を断面円形状に形成し、前記針胴部の糸付部側を扁平状に形成すると共に、断面形状が円形状から扁平状に滑らかに変化する変化部を備えた請求項１乃至３のいずれかに記載の手術用縫合針を提供するものである。
本発明によれば、針胴部の針先部側を断面円形状に形成したことにより、縫合針による切傷幅を小さくすることができると共に、断面形状が円形状から扁平状に滑らかに変化する変化部を備えたことにより、縫合針の刺通抵抗を小さくすることができる。
【００１１】
また、本発明は、前記把持面又は前記側面の一部を他の部分と異なる反射率になした請求項２乃至４のいずれかに記載の手術用縫合針を提供するものである。本発明によれば、把持面又は側面の一部の輝度が変化することによっても、縫合針の向きを容易に把握することができる。
【００１２】
また、本発明は、前記側面を前記把持面に対して高反射率になした請求項２乃至５のいずれかに記載の手術用縫合針を提供するものである。
本発明によれば、前記側面を除く縫合針の表面の反射率を低くして視認性を向上させることができると共に、前記側面の反射率が把持面と異なるから、縫合針の向きを容易に把握することができる。
【００１３】
【発明の実施の形態】
本発明の実施の形態を図示する実施例に基づいて説明する。
本発明に係る手術用縫合針は、半円弧状に形成された針胴部１と、該針胴部１の一端に設けた針先部２と、前記針胴部１の他端に設けた縫合糸９を取り付ける糸付部３とからなる手術用縫合針であって、前記針胴部１の少なくとも持針器による把持部４を半円弧状の内外面に平坦な把持面７，７を有する扁平部５を形成すると共に、前記把持面７，７と側面８，８を異なる反射率になるように構成してある。
【００１４】
図示の実施例において、縫合針１０は、ＳＵＳ３０２からなり、表面にシリコンコーティングを施して刺通抵抗を小さくしてある。針胴部１を扁平状にしても強度を維持できることからＳＵＳ３０２を使用することが好ましいが、ＳＵＳ３０４等のステンレス線材や他の鋼線材を使用することも可能である。
【００１５】
図１乃至図４に示す実施例において、針胴部１は、所定の線径Ｔに形成した針線材の略中央から糸付部３側を厚さｔにプレス加工して、扁平状に形成した扁平部５を設けることにより、針胴部１の針先部２側を断面円形状に形成し、針胴部１の糸付部３側を扁平状に形成すると共に、断面形状が円形状から扁平状に滑らかに変化する変化部６を備えてある。
【００１６】
図示の実施例では、針胴部１の扁平部５は、扁平加工前の針線材直径Ｔの５０％の厚さｔにプレス加工して扁平状に形成してある。
針胴部１の扁平部５の厚さは、半円弧状の湾曲方向の強度を保つと共に、針胴部１の扁平部５の幅の変化によって縫合針１０の向きが把握できることから、扁平加工前の針線材直径に対して４０％〜７０％の厚さｔに形成してあることが好ましい。
【００１７】
なお、縫合針１０による切傷幅を小さくすることができることから、針胴部１の針先部１側は、図１乃至図４に示す実施例のように断面円形状に設けることが好ましいが、図５に示す実施例のように針胴部１の全体をプレス加工することにより扁平状に形成することも可能である。
【００１８】
図１乃至図４に示す実施例において、縫合針１０の表面には、酸化皮膜１２を形成することにより暗色化して反射率を低くしてあり、縫合手術時に腹腔内において縫合針１０の視認性を向上することができるように構成してある。
縫合針１０は、プレス加工により扁平部５の加工後に、酸化皮膜形成処理を施し、表面の摩擦抵抗を低減するようにシリコンコーティングを施している。
【００１９】
また、針胴部１の側面８，８には酸化皮膜１２を形成することなく、針線材であるＳＵＳ３０２の表面にシリコンコーティングを施した高輝度部１３を設けてあり、側面８，８を把持面７，７に対して高反射率になるように構成してある。例えば、縫合針１０の表面の酸化皮膜形成処理を行った後に、側面８，８のみを研磨加工して酸化皮膜１２を剥がし、その後、縫合針１０の表面にシリコンコーティングを施すことにより、側面８，８に高輝度部１３を設けることができる。または、酸化皮膜形成処理の前に、側面８，８にのみ油脂分を塗付することにより、側面８，８での酸化皮膜１２の形成を少なくして高輝度部１３を設けることもできる。
【００２０】
なお、把持面７，７と側面８，８を異なる反射率にすることにより、輝度の変化によって縫合針の向きを容易に把握することができるから、側面８，８より把持面７，７を高反射率に形成することも勿論可能である。
また、側面８，８にのみシボ加工を施すことにより、側面８，８の反射率を低くして、把持面７，７と側面８，８を異なる反射率にすることもできる。
【００２１】
また、図５に示す実施例のように、針胴部１の側面８，８の一部分に高輝度部１３を設けることによっても、輝度変化により縫合針１０の向きを把握することができる。
なお、高輝度部１３は、図示の実施例のように、側面８，８に設ける場合に限らず、把持面７，７に設けることもでき、前記一部分を他の部分より反射率を低くなるように形成してもよい。
【００２２】
図１乃至図５に示す実施例において、糸付部３には、針胴部１の基端部を針胴部１の長手方向に沿って縫合糸９を取り付ける取付穴１１を設けてある。縫合糸９は、取付穴１１に挿入し、糸付部３をかしめることにより縫合針１０に取り付けてある。
なお、プレス加工により扁平部５を形成すると共に、糸付部３を扁平状に押圧することにより縫合糸９を取り付けることも可能である。
【００２３】
次に、本発明に係る手術用縫合針の作用について説明する。
腹腔鏡下での縫合手術においては、持針器により把持部４の側面８，８を把持して縫合針１０を腹腔内に挿入し、持針器により把持面７，７を把持するように直角に持ち替えて、縫合手術を行う。
その際、縫合針１０の向きを変えると、把持部４の側面８，８が内視鏡の方向に向いたときに、他の部分より反射率を高くしてあることから明るく輝くと共に、針胴部１の幅が略１／２に変化することにより、縫合針１０の向きを容易に把握することができる。
【００２４】
なお、図示の実施例のように、針胴部１の輝度の変化及び幅の変化により縫合針１０の向きを把握することができるように設けることが最も好ましいが、同一の反射率の針胴部１の扁平部５の厚さを扁平加工前の針線材直径に対して４０％〜７０％の厚さｔに形成することにより、針胴部１の幅の変化によって縫合針１０の向きを把握することができるように構成することも可能である。
【００２５】
また、本発明に係る手術用縫合針（ｔ／Ｔ＝０．５、反射率の変化なし）と従来の手術用縫合針を使用して、腹腔鏡下に持針器で把持した縫合針１０を正確に直角に持ち替えて把持できるまでの所要時間の比較を行った。腹腔鏡手術の経験の浅い医師３人によるそれぞれ５回の平均は、従来の手術用縫合針の４１．４秒に対して、本発明に係る手術用縫合針は３０．８秒であり、縫合針１０の向きの視認性の向上により縫合針の持ち替えに要する時間を約３／４に短縮することができる。
【００２６】
【発明の効果】
以上の通り、本発明に係る手術用縫合針によれば、半円弧状に形成された針胴部と、該針胴部の一端に設けた針先部と、前記針胴部の他端に設けた縫合糸を取り付ける糸付部とからなる手術用縫合針であって、前記針胴部の少なくとも持針器による把持部を半円弧状の内外面に平坦な把持面を有する扁平部を形成し、該扁平部の厚さを扁平加工前の針線材直径に対して４０％〜７０％に形成すると共に、針表面の反射率を低くしたことにより、前記扁平部の厚さを針線材直径に対して４０％以上に形成したから、半円弧状の湾曲方向の強度を保つことができる。一方、針表面の反射率を低くしたことにより腹腔鏡手術下のモニター画面の視認性を向上することができると共に、針線材直径に対して７０％以下に形成したから、針胴部の長手方向を中心に回転させたときに針胴部の幅が変化するから、モニターの画面上においても容易に針の向きを把握することができ、縫合針の持ち替えに要する時間を短縮することができる効果がある。
【００２７】
また、本発明は、半円弧状に形成された針胴部と、該針胴部の一端に設けた針先部と、前記針胴部の他端に設けた縫合糸を取り付ける糸付部とからなる手術用縫合針であって、前記針胴部の少なくとも持針器による把持部を半円弧状の内外面に平坦な把持面を有する扁平部を形成すると共に、前記把持面と側面を異なる反射率になしたことにより、持針器による縫合針の把持性が向上すると共に、把持面と側面を異なる反射率になしたから、モニターを介しても把持面と側面の輝度の違いによって縫合針の向きを容易に把握することができ、縫合針の持ち替えに要する時間を短縮することができる効果がある。
【００２８】
また、本発明は、前記針胴部の扁平部の厚さを扁平加工前の針線材直径に対して４０％〜７０％に形成した請求項２に記載の構成を有することにより、前記扁平部の厚さを針線材直径に対して４０％以上に形成したことによって、半円弧状の湾曲方向の強度を保つことができる。一方、針線材直径に対して７０％以下に形成したことによって、針胴部の長手方向を中心に回転させたときに針胴部の幅が変化するから、容易に針の向きを把握することができ、縫合針の持ち替えに要する時間を短縮することができる効果がある。
【００２９】
また、本発明は、前記針胴部の針先部側を断面円形状に形成し、前記針胴部の糸付部側を扁平状に形成すると共に、断面形状が円形状から扁平状に滑らかに変化する変化部を備えた請求項１乃至３のいずれかに記載の構成を有することにより、針胴部の針先部側を断面円形状に形成したから、縫合針による切傷幅を小さくすることができると共に、断面形状が円形状から扁平状に滑らかに変化する変化部を備えたから、縫合針の刺通抵抗を小さくすることができる効果がある。
【００３０】
また、本発明は、前記把持面又は前記側面の一部を他の部分と異なる反射率になした請求項２乃至４のいずれかに記載の構成を有することにより、把持面又は側面の一部の輝度が変化することによっても、縫合針の向きを容易に把握することができる効果がある。
【００３１】
また、本発明は、前記側面を前記把持面に対して高反射率になした請求項２乃至５のいずれかに記載の構成を有することにより、前記側面を除く縫合針の表面の反射率を低くして視認性を向上させることができると共に、前記側面の反射率が把持面と異なるから、縫合針の向きを容易に把握することができる効果がある。
【図面の簡単な説明】
【図１】本発明手術用縫合針の一実施例を示す斜視図
【図２】その一実施例を示す正面図
【図３】その一実施例を示す平面図
【図４】（ａ）その一実施例を示すａ−ａ線断面図
（ｂ）その一実施例を示すｂ−ｂ線断面図
【図５】他の実施例を示す斜視図
【符号の説明】
１　針胴部
２　針先部
３　糸付部
４　把持部
５　扁平部
６　変化部
７　把持面
８　側面
９　縫合糸
１０　縫合針
１１　取付穴
１２　酸化皮膜
１３　高輝度部
Ｔ　線径
ｔ　厚さ
【図１】
2004097714.tif 000003
【図２】
2004097714.tif 000004
【図３】
2004097714.tif 000005
【図４】
2004097714.tif 000006
【図５】
2004097714.tif 000007